(57)【要約】【課題】ワンプッシュポンプ式塗料タンクを腰袋に入れて保持し、伸縮式延長棒の先に取り付けた刷毛まで塗料を送り、手の届かないような場所の塗装を足場などを用いずに、安全に実施する。【解決手段】ワンプッシュポンプ式塗料タンクを腰袋に入れて保持し片手でポンプを操作します。もう片方の手で、伸縮式延長棒を持ちます。ポンプを片手で上下に操作すると塗料供給ホースの中を、塗料が、伸縮式延長棒の先につけた、タンク付き刷毛カバーの中の、刷毛に向かって上がって行き、刷毛先のホースジョイントを通って、刷毛先端より出てきます。これにより足場がないような場所でも、高所の塗装が可能となります。【選択図】図１
2014176809.tif 000002
【特許請求の範囲】
【請求項１】
ワンプッシュポンプ式塗料タンク  （図２）
塗料供給ホースを、巻きつける部位を有し、広口蓋を開けることで塗料の出し入れが容易に行えるワンプッシュポンプ式塗料タンク
【請求項２】
ホース差し込み式刷毛  （図３）
ホースジョイント一体型の刷毛で塗料供給ホースと刷毛のジョイントを容易に行えるものである。
【請求項３】
タンク付き刷毛カバー（図４）
刷毛伝いに垂れてくる塗料のタレを防止するために、刷毛をカバーし、伸縮式延長棒と連結する伸縮式延長棒固定パーツを有したタンク付き刷毛カバー
【請求項４】
タンク付き刷毛カバーにホース差し込み式刷毛をセットし、塗料供給ホースをホース差し込み式刷毛のホースジョイントにさし、タンク付き刷毛カバーのホース支持部を通して伸縮式延長棒のホース支持部を通し、ワンプッシュポンプ式塗料タンクにつなぎ、この塗料タンクを腰袋に入れてポンプ部分を、片手で操作しながら、もう片方の手で伸縮式延長棒を操作して、高所の塗装ができることを特徴とした塗装用具。
【発明の詳細な説明】
【技術分野】
【０００１】
本発明は、手の届かない高い場所を塗装するとき、足場や、脚立などを設置しなくても安全に塗装できる塗装用具に関するものである。
【背景技術】
【０００２】
従来手の届かない場所を塗装するには、足場や脚立などを設置する必要があった。
また、足場を設置しないで、そのような場所の塗装をする方法としては、継ぎ足し棒の先に、刷毛などを取り付けて、塗装する方法もある。
【先行技術文献】
【特許文献】
【０００３】
【特許文献１】特開２００２−０００３５２
【発明の概要】
【発明が解決しようとする課題】
【０００４】
以上にのべた、従来の塗装方法で、手の届かない高所の塗装をするには、足場の設置に多額の費用がかかっていた。
また、継ぎ足し棒の先に刷毛を取り付けて、高所の塗装をする場合は、安定した場所に塗料缶を置き、継ぎ足し棒の先につけた刷毛を、塗料缶の中の、塗料につけ、塗装したい高所まで、継ぎ足し棒を、持ち上げて、塗装をするという作業の繰り返しとなります。このため、手間がかかる上、刷毛に塗料をつけて継ぎ足し棒を持ち上げる間に、塗料が飛び散ったり、たれたりして、周りを汚すこともあります。また、上向きで塗装するために、刷毛につけた塗料が、刷毛を伝わって、大量に下方に垂れてくるので、周りを汚すと同時に、塗料の無駄にもなりました。
【課題を解決するための手段】
【０００５】
本発明は、このような、従来の塗装方法が有していた問題を解決しようとするものであり、塗料を確実に継ぎ足し棒の先に取り付けた刷毛まで送り、手の届かない高いところを、迅速、かつ安全に塗装でき、この際上向きでの塗装にもかかわらず、塗料が、下方に垂れてこないということを実現することを目的としたものである。
【０００６】
そして、本発明は、上記目的を達成するために
ワンプッシュポンプ式塗料タンク（図２）と、伸縮式延長棒（図、C）と伸縮式延長棒の先に取り付けた、タンク付き刷毛カバー（図４）と、塗料供給ホース差し込み式刷毛（図３）と、塗料供給ホース（図1、E)と、ワンプッシュポンプ式塗料タンク用腰袋とからなる塗装用具である。
【０００７】
ワンプッシュポンプ式塗料タンク（図２）とは、シャンプーなどが、入っているタンクと同じ手動式ポンプを用いたもので、一回押すと、少量の内容物が、押し出されるので、刷毛に塗料を供給する際、過剰に供給することがなく、刷毛に送る塗料の量の調整がしやすい特徴があります。このポンプを、広口の塗料タンクに取り付けます。タンクに塗料を入れる際入れやすいように広口としています。
このワンプッシュポンプ式塗料タンクを、ポンプ（図２、a）が片手で押しやすいように腰袋にいれて、使用します。
ワンプッシュポンプのさきに（図２、b）、塗料供給用ホース（図１、E）をとりつけ、伸縮式延長棒のホース支持部（図１、B）を経てタンク付き刷毛カバー先端の穴（図４、f）より通して、ホース差し込み式刷毛のホースジョイント（図３、a）に繋ぎます。
伸縮式延長棒（図１、c）とは、縮めたときは、１ｍ程度の長さですが、伸ばすと３メートルほどの長さになるものや、既に数種類の長さのものが販売されており、様々なシーンで利用されております。
タンク付き刷毛カバー（図４）とは、刷毛を差し込んで使うもので、塗装中に垂れてきた塗料が周りに飛び散ったりたれたりするのを防ぐもので、刷毛伝いに垂れてきた塗料は、刷毛カバー（図４、a）下のタンク（図、４b)に貯まるようにできています。また、ここに溜まった塗料は、タンクを外して、ワンプッシュポンプ式塗料タンク（図２）に戻して使用できるので、塗料の無駄を削減することができます。
ホース差し込み式刷毛（図３）とは、通常使用の塗装刷毛の（図３,b）に穴をあけてホースジョイント（図３、a）を穴に差し取り付けたもので、タンク付き刷毛カバー（図４）に差し込み、塗料供給用ホースをホースジョイントに取り付けて使用します。（図５参照）
ワンプッシュポンプ式塗料タンクより圧送された塗料は、塗料供給ホースによって伸縮式延長棒伝いに送られて、ホースジョイントを経て、刷毛の先端部より出てきます。
これにより、手の届かないような高所も、足場などを使用しせず塗装が可能となります。
【発明の効果】
【０００８】
ァ、  足場を使わずに、手の届かないような場所の塗装が可能となります。
ィ、  また、従来方式の継ぎ足し棒の先に、刷毛を取り付けただけのもので塗装するには、塗料缶を下の安定した場所におき、継ぎ足し棒の先に取り付けた刷毛を塗料缶に差し入れ、刷毛に塗料をつけ、継ぎ足し棒を持ち上げ塗装する作業の繰り返しとなり大変な手間と労力がかかりましたが、本発明はでは、ワンプッシュポンプ式塗料タンクにより、刷毛の先まで、塗料を簡単に送ることができるので、延長棒を上げたり下げたりする必要がなく、塗装しはじめれば、ワンプッシュポンプ式塗料タンクのなかが、空になるまで、塗装し続けることができます。また塗装の際、刷毛伝いに垂れてきた塗料は、タンク付き刷毛カバーによって受け止められ、まわりに塗料を飛び散らせることがありません。タンク付き刷毛カバーに溜まった塗料は、、ワンプッシュポンプ式塗料タンクに移し替えて再利用できるので、塗料の無駄を省くことが可能となります。
ウ、ワンプッシュポンプ式塗料タンクは、蓋が閉まった状態で塗装できるので、不意に塗料をこぼすなどの心配はありません。
【図面の簡単な説明】
【０００９】
【図１】図１は、本発明の塗装用具にて、高所を塗装している全体の様子である。図中のAは、タンク付き刷毛カバーにホース差し込み式刷毛をセットし（図５）、伸縮式延長棒の先に取り付け、塗料供給ホースを刷毛のホースジョイント部に差し込んだ状態を示します。図中のBは、伸縮式延長棒にとりつけたリング状のホース支持部に塗料供給ホースが通った様子である。図中のCは、伸縮式延長棒を示します。図中のDは、ワンプッシュポンプ式塗料タンク（図２）を示します。ワンプッシュポンプ式塗料タンクは、腰の位置で保持できるように、腰袋などに入れて使用します。図中のEは、塗料供給ホースを示します。
【図２】図２は、ワンプッシュポンプ式塗料タンクである。a,を手で上下に操作してタンクの中の塗料を塗料供給ホースへと圧送します。b、部に塗料供給ホースを差し込みます。c、部には、伸縮式延長棒を縮めたときに、余った塗料供給ホースを巻きつけて塗装作業の邪魔にならないようにしておく部分です。d、部は、ねじ込み式の蓋となっており、塗料の出し入れがしやすいように、広口となっています。
【図３】図３は、ホース差し込み式刷毛である。刷毛のb、部分に穴を開けてホースジョイントa,を差し込んだものである。ホースジョイント部に塗料供給ホースを差し込み使用します。塗料供給ホースを流れてきた塗料は、ホースジョイントを通って、刷毛の先端まで流れてきます。
【図４】図４は、タンク付き刷毛カバーの図である。a,は刷毛カバー部分であり、刷毛を伝わってたれてきた塗料を受け止めます。また、c,の連結部で取り外しができ長時間の使用により刷毛カバーが傷んだ場合は取り替えができます。b,はタンク部であり、垂れた塗料を貯めておくことができます。また、タンクはc,の連結部で取り外しができ、溜まった塗料をワンプッシュポンプ式塗料タンクに戻して再利用できます。c,は刷毛カバーとタンクの連結部であり、中央部に刷毛の柄を通す為の四角い穴（図、６）が空いています。d,は伸縮式延長棒をさしてねじ込み固定する部分である。e,は塗料供給ホース支持部である。f,は、ホースジョイントを通すための穴である。
【図５】図５は、タンク付き刷毛カバーにホース差し込み式刷毛をセットした図である。
【図６】図６は、図４e,のタンクと刷毛カバーの連結部分の穴詳細図である。
【図７】図７は、タンク付き刷毛カバー図５を直接手に持って塗装している全体図である従来の塗装方法のように塗料缶を片手に持って塗装する必要はありません。片手でタンク付き刷毛カバーを直接持ち、もう片方の手で腰袋の中のワンプッシュポンプ式塗料タンクを操作しながら塗装できます。
【発明を実施するための形態】
【００１０】
図１は本発明の全体図であります。図３のホース差し込み式刷毛を図４のタンク付き刷毛カバーと組み合わせます。すると、図５のようになります。このとき、ホース差し込み式刷毛のホースジョイント部分を、タンク付き刷毛カバーの刷毛カバー部分の穴f,にさしこみます。そののち、図４d、に伸縮式延長棒をねじ込み固定します。塗料供給ホースを、ホースジョイント図５c,に差込み
図５d、のホース支持部を通して、伸縮式延長棒に取り付けてあるホース支持部図１Bを通して図２のワンプッシュポンプ式塗料タンクのb,部に繋ぎます。図２のd、の蓋を取り外し、塗料タンクのなかに塗料を入れ、しっかりと蓋をします。図２のワンプッシュポンプ式塗料タンクを腰袋にいれて、伸縮式延長棒を、塗装したい場所の高さに合うように長さ調整をします。これで塗装準備完了です。ワンプッシュポンプ式塗料タンクの図２a,をプッシュすると、塗料が、塗料供給ホースを通って刷毛先端まで送られます。塗装をしながら、ポンプを押す回数を手で調整し、塗料の送り量を調整しながら作業を進めます。
【００１１】
図７は、タンク付き刷毛カバー部分を直接手に持ち、塗装している全体図である。手の届く場所の塗装をする時は、図７のように、タンク付き刷毛カバー部を直接手に持ち腰袋のなかのワンプッシュポンプ式塗料タンクを片手で操作しながら塗装できます。この形態でも、上向き塗装時の塗料のタレは、刷毛カバーが受け止めるので、周りに塗料を飛び散らせることはありません。
【実施例】
【００１２】
本発明の特徴は、手の届かないような高い場所を、足場などを使用せず塗装することであるから、図１のように、作業者は安定した場所にたち、伸縮式延長棒を手に持って作業する。ワンプッシュポンプ式塗料タンクを操作して、伸縮式延長棒の先に取り付けた刷毛まで、塗料を送り塗装を行う。また、塗装したい高さを変更したい時は伸縮式延長棒を、ちじめたり、伸ばしたりしながら、ワンプッシュポンプ式塗料タンクの中の塗料が無くなるまで続けて塗装することができる。従来の塗装方法では、上向きの塗装時には、塗料が大量に下に垂れてくるため、下方を汚すなどの問題がありましたが、本発明は、タンク付き刷毛カバーで、刷毛伝いに垂れてきた塗料を受け止めタンクの中に貯めておけるので、塗料のタレを大幅に防ぐことが可能です。また、タンクの中に溜まった塗料は、ワンプッシュポンプ式塗料タンクの中に戻して再利用できますので、塗料の無駄の削減につながります。下向きで塗装をする場合は、タンク付き刷毛カバーのタンクに、塗料が溜まっていると、逆流してタンク側から刷毛側に塗料が流れでてきますので、タンクの中の塗料を、ワンプッシュポンプ式塗料タンクに戻してから下向き塗装を行います。
【産業上の利用可能性】
【００１３】
比較的高さの低い建物などで、足場がないと手が届かないような場所を塗装するとき、従来は足場を作ったり、脚立などを利用して、塗装を行ってきましたが、本発明では、安定した場所（地面など）に立った状態で塗装することが可能である。
【符号の説明】
【００１４】
図１高所塗装の全体図の符合について説明します。
A  タンク付き刷毛カバーとホース差し込み式刷毛      B ホース支持部 
C  伸縮式延長棒                                                             Dワンプッシュポンプ式塗料タンク
E  塗料供給ホース                                
図２ワンプッシュポンプ式塗料タンクの符合について説明します
a,  ワンプッシュポンプ操作部                        b、塗料供給ホース取り付け部
ｃ、ホース巻き付け部                                         d,ワンプッシュポンプ式塗料タンクの蓋部分
図３ホース差し込み式刷毛の符合について説明します。
a,  ホースジョイント                                b,ホースジョイント差込穴
図４タンク付き刷毛カバーの符合について説明します。
a,  刷毛カバー                                    b、タンク
c、刷毛カバーとタンクの連結部                       d,伸縮式延長棒固定パーツ
e, 塗料供給ホース支持部                            f,ホースジョイント用穴
図５タンク付き刷毛カバーにホース差し込み式刷毛をセットした図の符合について説明します。
a,連結部                                          b,ホース差し込み式刷毛
c、ホースジョイント                                  d、塗料供給ホース支持部
e,刷毛カバー                                         f,タンク
g,伸縮式延長棒固定パーツ
【図１】
2014176809.tif 000003
【図２】
2014176809.tif 000004
【図３】
2014176809.tif 000005
【図４】
2014176809.tif 000006
【図５】
2014176809.tif 000007
【図６】
2014176809.tif 000008
【図７】
2014176809.tif 000009